(57)【要約】【課題】設置スペースを広げることなく拡張機能を付加でき、且つ、拡張機能を必要としない使用者にとって不必要に大型、高価になることのない映像表示端末を提供する。【解決手段】映像表示端末Ａは、壁内に後部を収める形で壁に固定される基本モジュールＭ１と、基本モジュールＭ１の前面側に着脱可能に装着され基本モジュールＭ１に電気的に接続される露出パネルＰとを備える。露出パネルＰは、基本モジュールＭ１に装着された状態で基本モジュールＭ１と共に基本機能を備えた基本装置を構成する。基本モジュールＭ１と露出パネルＰとの少なくとも一方には、基本機能以外の拡張機能を備えた拡張モジュールＭ２を電気的に接続する接続手段が設けられ、露出パネルＰの背面側には、拡張モジュールＭ２を露出パネルＰの背面に沿って基本モジュールＭ１と並べて配置するための拡張スペースが設けられている。【選択図】図１
2008294987.tif 000002
【特許請求の範囲】
【請求項１】
壁に取り付けられ、相手側端末から信号線を介して送られる映像信号を受けて映像を表示可能な映像表示端末であって、壁内に後部を収める形で壁に固定される基本モジュールと、基本モジュールの前面側に着脱可能に装着され基本モジュールに電気的に接続される露出パネルとを備え、基本モジュールは、電源線が接続される電源端子部と、信号線が接続される信号端子部と、電源端子部に接続され内部回路および露出パネルに直流電源を供給する電源部とを有し、露出パネルは、映像を表示する映像表示部と、操作入力が可能な操作部と、操作部からの操作入力を受け付けて内部回路の動作を制御する全体制御部とを有し、基本モジュールに装着された状態で基本モジュールと共に基本機能を備えた基本装置を構成し、基本モジュールと露出パネルとの少なくとも一方には、前記基本機能以外の拡張機能を備え電源部から直流電源が供給される拡張モジュールを電気的に接続する接続手段が設けられ、露出パネルの背面側には、拡張モジュールを露出パネルの背面に沿って基本モジュールと並べて配置するための拡張スペースが設けられていることを特徴とする映像表示端末。
【請求項２】
前記拡張モジュールは、前記基本モジュールおよび前記露出パネル以外の外部機器を接続するための拡張端子部を有することを特徴とする請求項１記載の映像表示端末。
【請求項３】
前記拡張スペースに配置可能であって外部と電気的に接続する手段を持たないダミーモジュールと、前記拡張モジュールとのいずれか一方が、拡張スペースに取り付けられることを特徴とする請求項１または請求項２に記載の映像表示端末。
【請求項４】
前記露出パネルは前記基本モジュールを接続する基本用パネルコネクタと前記拡張モジュールを接続する拡張用パネルコネクタとを有し、基本モジュールは基本用パネルコネクタに接続されるパネル用基本コネクタと拡張モジュールを接続する拡張用基本コネクタとを有し、拡張モジュールは拡張用パネルコネクタに接続されるパネル用拡張コネクタと拡張用基本コネクタに接続される基本用拡張コネクタとを有することを特徴とする請求項１ないし請求項３のいずれか１項に記載の映像表示端末。
【請求項５】
前記露出パネルは前記基本モジュールを接続する基本用パネルコネクタと前記拡張モジュールを接続する拡張用パネルコネクタとを有し、基本モジュールは基本用パネルコネクタに接続されるパネル用基本コネクタを有し、拡張モジュールは拡張用パネルコネクタに接続されるパネル用拡張コネクタを有することを特徴とする請求項１ないし請求項３のいずれか１項に記載の映像表示端末。
【請求項６】
前記基本モジュールは前記露出パネルを接続するパネル用基本コネクタと前記拡張モジュールを接続する拡張用基本コネクタとを有し、露出パネルはパネル用基本コネクタに接続される基本用パネルコネクタを有し、拡張モジュールは拡張用基本コネクタに接続される基本用拡張コネクタを有することを特徴とする請求項１ないし請求項３のいずれか１項に記載の映像表示端末。
【請求項７】
前記拡張モジュールは、それぞれ拡張機能に用いる制御信号の入出力を行う信号処理部を複数有し、各信号処理部と前記基本用拡張コネクタとの間に、各信号処理部との間の複数の伝送路を集線し前記基本モジュールとの間の伝送路に接続する集線処理部を具備することを特徴とする請求項６記載の映像表示端末。
【請求項８】
前記拡張モジュールは前記基本モジュールとの通信用に複数の伝送路を有し、基本モジュールは、拡張モジュールとの間の複数の伝送路を集線し前記露出パネルとの間の伝送路に接続する集線処理部を有し、集線処理部は、拡張モジュールとの間の複数の伝送路に加えて前記相手側端末との通信用の伝送路を集線し露出パネルとの間の伝送路に接続することを特徴とする請求項６記載の映像表示端末。
【請求項９】
前記基本モジュールと前記拡張モジュールとは、互いに機械的に結合する結合手段を有することを特徴とする請求項１ないし請求項８のいずれか１項に記載の映像表示端末。
【請求項１０】
前記結合手段は、前記基本モジュールと前記拡張モジュールとのいずれか一方に設けられた係合孔と、他方に設けられ係合孔に挿入されて係合孔の開口周縁に係合する係合突起とを有することを特徴とする請求項９記載の映像表示端末。
【請求項１１】
前記基本モジュールおよび前記拡張モジュールは、前記壁内に埋設された前面開口の埋込ボックス内に後部を収める形で取り付けられ、埋込ボックスに螺合するねじが挿通される取付片を有することを特徴とする請求項１ないし請求項１０のいずれか１項に記載の映像表示端末。
【請求項１２】
前記基本モジュールは、前面が矩形状であって、露出パネルを装着する際に露出パネルの一部に引っ掛かることで前面の一辺周りの露出パネルの回転の支点となる支点部を前面側に有し、前面における前記一辺に対向する他辺寄りの位置に、露出パネルと凹凸係合する係止手段を有することを特徴とする請求項１ないし請求項１１のいずれか１項に記載の映像表示端末。
【発明の詳細な説明】
【技術分野】
【０００１】
本発明は、壁に取り付けられ、相手側端末から信号線を介して送られる映像信号を受けて映像を表示可能な映像表示端末に関するものである。
【背景技術】
【０００２】
従来から、この種の映像表示端末Ａには、たとえば宅外に設置された相手側端末５０としてのドアホン子器に対して図１１（ａ）に示すように信号線６を用いて接続されることによりインターホンシステムを構築し、相手側端末５０との間で通話可能となるもの（インターホン親機）などがある。この映像表示端末Ａは映像表示部を備えており、カメラが設けられた相手側端末５０に接続されることにより、相手側端末５０のカメラで撮像された映像を表示することができる。
【０００３】
近年では、壁面からの器体の突出量を小さく抑え、且つ、一般に普及している埋込型の配線器具との外観上の統一感を出すとともに、取り付けに用いる部材の低コスト化を図るために、周知の埋込型の配線器具と同様、埋込ボックスを用いて壁内に器体の後部が埋め込まれた形で取り付けられる映像表示端末Ａも提案されている（たとえば特許文献１参照）。すなわち、映像表示端末Ａは、器体の後部を埋込ボックス内に収める形で、埋込ボックスに設けたねじ孔に螺合する取付ねじを用いて埋込ボックスに固定される。
【０００４】
ところで、映像表示端末Ａには、相手側端末５０との通話や相手側端末５０のカメラ部５１で撮像された映像の表示などを行う基本機能の他に、拡張機能（所謂オプション機能）を付加する場合がある。たとえば、上述のように相手側端末５０と共にインターホンシステムを構築する映像表示端末Ａの場合、図１１（ｂ）のすように別室に設けられたワイヤレス増設親機５６との通信を無線で行うワイヤレス機能や、図１１（ｃ）のようにセンター装置５７が接続されたインターネット５８にルータ５９を介して接続するためのインターネット接続機能や、図１１（ｄ）のように電気錠３９に接続して電気錠３９の監視・制御を行う施解錠機能などの拡張機能を付加したものが知られている。
【０００５】
拡張機能は、映像表示端末Ａにとって必須ではなく、使用者の要望に応じて選択的に取り入れられる機能であるから、映像表示端末Ａに拡張機能を付加する場合、図１１（ｂ）〜（ｄ）に示すように拡張機能を具備した拡張アダプタ（図１１（ｂ）のネットアダプタ、図１１（ｃ）のワイヤレスアダプタ、図１１（ｄ）の電気錠アダプタ）６０を映像表示端末Ａとは別に設け、拡張アダプタ６０と映像表示端末Ａとを互いに接続することが一般的である（たとえば特許文献２参照）。ただしこの場合、映像表示端末Ａに加えて拡張アダプタ６０を別途設置する必要があるから、拡張機能を付加するために設置スペースを広げる必要があるという問題がある。一般的には、拡張アダプタ６０は映像表示端末Ａに並べて配置され、専用配線によって映像表示端末Ａに接続されるので、映像表示端末Ａ周りが煩雑になり部屋の美観を損ねることにもなる。
【０００６】
これに対して、特許文献１には、基本機能と拡張機能（電気錠３９の施解錠機能）との両方を実現するための回路が１つの器体内に収納された映像表示端末Ａが記載されている。
【特許文献１】特開２００７−２８５４１号公報
【特許文献２】特開２００４−１４７２１５号公報
【発明の開示】
【発明が解決しようとする課題】
【０００７】
しかしながら、基本機能と拡張機能との両方を実現するための回路が１つの器体内に収納されている場合、拡張機能を必要としない使用者にとっては、拡張機能が無駄になり、結果的に拡張機能の分だけ映像表示端末Ａが不必要に大型、高価になるという問題がある。
【０００８】
本発明は上記事由に鑑みて為されたものであって、設置スペースを広げることなく拡張機能を付加することができ、且つ、拡張機能を必要としない使用者にとって不必要に大型、高価になることのない映像表示端末を提供することを目的とする。
【課題を解決するための手段】
【０００９】
請求項１の発明は、壁に取り付けられ、相手側端末から信号線を介して送られる映像信号を受けて映像を表示可能な映像表示端末であって、壁内に後部を収める形で壁に固定される基本モジュールと、基本モジュールの前面側に着脱可能に装着され基本モジュールに電気的に接続される露出パネルとを備え、基本モジュールが、電源線が接続される電源端子部と、信号線が接続される信号端子部と、電源端子部に接続され内部回路および露出パネルに直流電源を供給する電源部とを有し、露出パネルが、映像を表示する映像表示部と、操作入力が可能な操作部と、操作部からの操作入力を受け付けて内部回路の動作を制御する全体制御部とを有し、基本モジュールに装着された状態で基本モジュールと共に基本機能を備えた基本装置を構成し、基本モジュールと露出パネルとの少なくとも一方には、前記基本機能以外の拡張機能を備え電源部から直流電源が供給される拡張モジュールを電気的に接続する接続手段が設けられ、露出パネルの背面側には、拡張モジュールを露出パネルの背面に沿って基本モジュールと並べて配置するための拡張スペースが設けられていることを特徴とする。
【００１０】
この構成によれば、基本モジュールと露出パネルとの少なくとも一方には、基本機能以外の拡張機能を備え電源部から直流電源が供給される拡張モジュールを電気的に接続する接続手段が設けられ、露出パネルの背面側には、拡張モジュールを露出パネルの背面に沿って基本モジュールと並べて配置するための拡張スペースが設けられているので、拡張機能が必要な場合、拡張モジュールを拡張スペースに配置するとともに接続手段に接続することによって、基本機能に拡張機能を付加することができる。したがって、拡張アダプタを用いた従来構成のように、拡張機能を付加するために設置スペースを広げる必要はない。また、拡張機能を必要としない場合には、基本モジュールおよび露出パネルのみで映像表示端末を構成するようにすればよく、これにより、拡張機能を必要としない使用者にとって映像表示端末が不必要に大型、高価になることもない。
【００１１】
請求項２の発明は、請求項１の発明において、前記拡張モジュールが、前記基本モジュールおよび前記露出パネル以外の外部機器を接続するための拡張端子部を有することを特徴とする。
【００１２】
この構成によれば、拡張モジュールを用いることで映像表示端末に外部機器を接続可能となり、映像表示端末の用途を広げることができる。
【００１３】
請求項３の発明は、請求項１または請求項２の発明において、前記拡張スペースに配置可能であって外部と電気的に接続する手段を持たないダミーモジュールと、前記拡張モジュールとのいずれか一方が、拡張スペースに取り付けられることを特徴とする。
【００１４】
この構成によれば、拡張スペースには、ダミーモジュールと拡張モジュールとのいずれか一方が取り付けられるので、拡張モジュールを使用しない場合でもダミーモジュールによって拡張スペースが確実に確保されることになる。したがって、映像表示端末が設置された後で拡張機能を付加する必要が生じた場合に、ダミーモジュールによって確保されている拡張スペースを利用して拡張モジュールを取り付けることができる。要するに、施工ミスにより拡張スペースが確保されておらず、拡張モジュールを取り付けることができないという事態を回避することができる。
【００１５】
請求項４の発明は、請求項１ないし請求項３のいずれかの発明において、前記露出パネルが前記基本モジュールを接続する基本用パネルコネクタと前記拡張モジュールを接続する拡張用パネルコネクタとを有し、基本モジュールが基本用パネルコネクタに接続されるパネル用基本コネクタと拡張モジュールを接続する拡張用基本コネクタとを有し、拡張モジュールが拡張用パネルコネクタに接続されるパネル用拡張コネクタと拡張用基本コネクタに接続される基本用拡張コネクタとを有することを特徴とする。
【００１６】
この構成によれば、露出パネルには基本モジュールと拡張モジュールとの両方が直接接続され、且つ基本モジュールと拡張モジュールとも互いに直接接続されることになるので、露出パネルと基本モジュールと拡張モジュールとの間でのデータのやり取りを高速化することができる。
【００１７】
請求項５の発明は、請求項１ないし請求項３のいずれかの発明において、前記露出パネルが前記基本モジュールを接続する基本用パネルコネクタと前記拡張モジュールを接続する拡張用パネルコネクタとを有し、基本モジュールが基本用パネルコネクタに接続されるパネル用基本コネクタを有し、拡張モジュールが拡張用パネルコネクタに接続されるパネル用拡張コネクタを有することを特徴とする。
【００１８】
この構成によれば、露出パネルには基本モジュールと拡張モジュールとの両方が直接接続され、基本モジュールと拡張モジュールとについては互いに直接接続されていないので、露出パネルと基本モジュールおよび拡張モジュールの各々との間でのデータのやり取りを高速化しつつ、基本モジュールと拡張モジュールとを直接接続するためのコネクタが不要になり低コスト化を図ることができる。
【００１９】
請求項６の発明は、請求項１ないし請求項３のいずれかの発明において、前記基本モジュールが前記露出パネルを接続するパネル用基本コネクタと前記拡張モジュールを接続する拡張用基本コネクタとを有し、露出パネルがパネル用基本コネクタに接続される基本用パネルコネクタを有し、拡張モジュールが拡張用基本コネクタに接続される基本用拡張コネクタを有することを特徴とする。
【００２０】
この構成によれば、基本モジュールには露出パネルと拡張モジュールとの両方が直接接続され、露出パネルと拡張モジュールとについては互いに直接接続されていないので、基本モジュールと露出パネルおよび拡張モジュールの各々との間でのデータのやり取りを高速化しつつ、露出パネルと拡張モジュールとを直接接続するためのコネクタが不要になり低コスト化を図ることができる。
【００２１】
請求項７の発明は、請求項６の発明において、前記拡張モジュールが、それぞれ拡張機能に用いる制御信号の入出力を行う信号処理部を複数有し、各信号処理部と前記基本用拡張コネクタとの間に、各信号処理部との間の複数の伝送路を集線し前記基本モジュールとの間の伝送路に接続する集線処理部を具備することを特徴とする。
【００２２】
この構成によれば、拡張モジュールにおける信号処理部の数にかかわらず、基本モジュールと露出パネルとの間の伝送路の数を少なく抑えることができるので、パネル用基本コネクタおよび基本用パネルコネクタのコンタクト数を低減することで、パネル用基本コネクタと基本用パネルコネクタとの間の接触信頼性の向上を図ることができる。また、拡張用基本コネクタおよび基本用拡張コネクタのコンタクト数を低減することで、拡張用基本コネクタと基本用拡張コネクタとの間の接触信頼性の向上も図ることができる。しかも、集線処理部は拡張モジュールに設けられているので、拡張機能を必要としない使用者にとって映像表示端末が集線処理部の分だけ不必要に大型、高価になることもない。
【００２３】
請求項８の発明は、請求項６の発明において、前記拡張モジュールが前記基本モジュールとの通信用に複数の伝送路を有し、基本モジュールが、拡張モジュールとの間の複数の伝送路を集線し前記露出パネルとの間の伝送路に接続する集線処理部を有し、集線処理部が、拡張モジュールとの間の複数の伝送路に加えて前記相手側端末との通信用の伝送路を集線し露出パネルとの間の伝送路に接続することを特徴とする。
【００２４】
この構成によれば、基本モジュールと拡張モジュールとの間の伝送路の数にかかわらず、基本モジュールと露出パネルとの間の伝送路の数を少なく抑えることができるので、パネル用基本コネクタおよび基本用パネルコネクタのコンタクト数を低減することで、パネル用基本コネクタと基本用パネルコネクタとの間の接触信頼性の向上を図ることができる。しかも、基本モジュールと露出パネルとの間において、拡張モジュールと露出パネルとの通信用の伝送路が、相手側端末と露出パネルとの通信用の伝送路に利用されるので、基本モジュールと露出パネルとの間の伝送路の数をより少なく抑えることができ、パネル用基本コネクタと基本用パネルコネクタとの間の接触信頼性の向上を図ることができる。
【００２５】
請求項９の発明は、請求項１ないし請求項８のいずれかの発明において、前記基本モジュールと前記拡張モジュールとが、互いに機械的に結合する結合手段を有することを特徴とする。
【００２６】
この構成によれば、基本モジュールと拡張モジュールとを互いに機械的に結合することができるので、基本モジュールと拡張モジュールとの相対的な位置ずれが生じにくく、基本モジュールに露出パネルを装着したときに、拡張モジュールと露出パネルとの相対的な位置関係も安定するという利点がある。
【００２７】
請求項１０の発明は、請求項９の発明において、前記結合手段が、前記基本モジュールと前記拡張モジュールとのいずれか一方に設けられた係合孔と、他方に設けられ係合孔に挿入されて係合孔の開口周縁に係合する係合突起とを有することを特徴とする。
【００２８】
この構成によれば、基本モジュールと拡張モジュールとを互いに機械的に結合するためにねじ等の他部材を用いる必要がないので、拡張モジュールの取付作業が簡単になる。
【００２９】
請求項１１の発明は、請求項１ないし請求項１０のいずれかの発明において、前記基本モジュールおよび前記拡張モジュールが、前記壁内に埋設された前面開口の埋込ボックス内に後部を収める形で取り付けられ、埋込ボックスに螺合するねじが挿通される取付片を有することを特徴とする。
【００３０】
この構成によれば、基本モジュールおよび拡張モジュールは、周知の埋込型の配線器具と同様に埋込ボックスを用いて取付可能であるから、周知の埋込型の配線器具と同様、比較的簡単に取り付けられる。
【００３１】
請求項１２の発明は、請求項１ないし請求項１１のいずれかの発明において、前記基本モジュールが、前面が矩形状であって、露出パネルを装着する際に露出パネルの一部に引っ掛かることで前面の一辺周りの露出パネルの回転の支点となる支点部を前面側に有し、前面における前記一辺に対向する他辺寄りの位置に、露出パネルと凹凸係合する係止手段を有することを特徴とする。
【００３２】
この構成によれば、露出パネルの一部を基本モジュールの支点部に引っ掛けた状態で、露出パネルを基本モジュール側に回転させるだけで、係止手段が露出パネルと凹凸係合して露出パネルが基本モジュールに装着されることになる。したがって、基本モジュールに露出パネルを装着するためにねじ等の他部材を用いる必要がなく、露出パネルの取付作業が簡単になる。
【発明の効果】
【００３３】
本発明は、拡張機能が必要な場合、拡張モジュールを拡張スペースに配置するとともに接続手段に接続することによって、基本機能に拡張機能を付加することができるから、設置スペースを広げることなく拡張機能を付加することができる。また、拡張機能を必要としない場合には、基本モジュールおよび露出パネルのみで映像表示端末を構成するようにすればよく、これにより、拡張機能を必要としない使用者にとって映像表示端末が不必要に大型、高価になることもない。
【発明を実施するための最良の形態】
【００３４】
以下の各実施形態では、宅内の壁に取り付けられ、宅外に設置された相手側端末５０としてのドアホン子器に対して図２に示すように信号線６を用いて接続されることによりインターホンシステムを構築し、相手側端末５０との間で通話可能となるインターホン親機を映像表示端末Ａの一例として、本発明の映像表示端末Ａの構成を説明する。この映像表示端末Ａは映像表示部１２を備えており、来訪者を撮像するカメラ部５１が設けられた相手側端末５０に接続されることにより、相手側端末５０のカメラ部５１で撮像された映像を表示することができる。なお、相手側端末５０は、カメラ部５１の他、操作入力が可能な操作部５２と、スピーカ５３ａおよびマイクロフォン５３ｂを具備し映像表示端末Ａとの通話時に音声の入出力を行う音声入出力部５３と、音声信号や映像信号の入出力を行う信号処理部５４と、信号線６が接続される端子部５５とを有している。
【００３５】
（実施形態１）
本実施形態の映像表示端末Ａは、図１（ａ）に示すように、壁内に後部を収める形で壁に固定される基本モジュールＭ１と、基本モジュールＭ１の前面側に着脱可能に装着される露出パネルＰとを備えている。露出パネルＰは基本モジュールＭ１に装着された状態で、相手側端末５０との通話や相手側端末５０のカメラ部５１で撮像された映像の表示などを行う基本機能を備えた基本装置を基本モジュールＭ１と共に構成する。さらに、露出パネルＰの背面側には基本機能以外の拡張機能を備えた拡張モジュールＭ２が設けられているが、この拡張モジュールＭ２は必要に応じて選択的に取り付けられるものであって、映像表示端末Ａを構成する必須の要素ではない。以下では、映像表示端末Ａを壁に取り付けた状態での上下左右を上下左右として映像表示端末Ａの構成を説明する。
【００３６】
基本モジュールＭ１は、図１（ａ）に示すように、前面に矩形状の開口部を有する箱状に形成されたボディ１と、ボディ１の前面に覆着されるカバー２とで構成される器体３を備え、種々の電気部品が実装されている回路基板（図示せず）が器体３内に収納された構成を有する。さらに、基本モジュールＭ１は、ボディ１の後壁の２箇所に端子窓（図示せず）が貫設されており、商用電源供給用の電源線４（図２参照）が接続される電源端子部５（図２参照）を一方の端子窓から器体３の外部に露出させるように備え、信号線６が接続される信号端子部７（図２参照）を他方の端子窓（図示せず）から器体３の外部に露出させるように備えている。ボディ１とカバー２とは、カバー２の上下方向の各端部から後方に突出した結合片８に設けた孔に、ボディ１の上下方向の両端面における前端部に設けた結合爪９をそれぞれ係合させることにより結合される。
【００３７】
露出パネルＰは、前面矩形状の薄箱状に形成されたパネルケース１０を備え、種々の電気部品が実装されている回路基板（図示せず）がパネルケース１０内に収納された構成を有する。さらに、露出パネルＰは、パネルケース１０の前壁の一部に透明な表示窓１１が配設されており、液晶パネルからなる映像表示部１２（図２参照）をパネルケース１０内における表示窓１１の後方に備えている。ここで、パネルケース１０は、前面の左寄りの位置に表示窓１１を有しており、表示窓１１の右方には小孔が多数形成されたスピーカ取付部１３が配設されるとともに、操作部１４（図２参照）を構成する操作ハンドル１５がスピーカ取付部１３の下方に配設されている。さらに、表示窓１１の左下方にはマイク用孔１６が形成され、マイク用孔１６の右方つまり表示窓１１の下方には操作部１４を構成する押釦１７が左右方向に複数個（ここでは２個）列設されている。パネルケース１０内において、スピーカ取付部１３に対応する位置にはスピーカ１８ａ（図２参照）が設けられ、マイク用孔１６に対応する位置にはマイクロフォン１８ｂ（図２参照）が設けられ、スピーカ１８ａおよびマイクロフォン１８ｂは、相手側端末５０との通話時に音声の入出力を行う音声入出力部１８を構成する。なお、パネルケース１０内において各操作ハンドル１５および各押釦１７に対応する位置には、それぞれ各操作ハンドル１５および各押釦１７と共に操作部１４を構成するスイッチ（図示せず）が設けられる。
【００３８】
また、拡張モジュールＭ２は、基本モジュールＭ１と同様にボディ１’とカバー２’とで構成される器体３’を備え、種々の電気部品が実装されている回路基板（図示せず）が器体３’内に収納された構成を有する。さらに、拡張モジュールＭ２は、ボディ１’の後壁の１箇所に端子窓（図示せず）が貫設されており、基本モジュールＭ１および露出パネルＰ以外の外部機器を接続するための拡張端子部１９（図２参照）を端子窓から露出させるように備えている。ボディ１’とカバー２’とは、基本モジュールＭ１のボディ１およびカバー２と同様に結合片８’および結合爪９’を係合させることにより結合される。
【００３９】
本実施形態の基本モジュールＭ１および拡張モジュールＭ２は、図３（ａ）に示すように、壁内に設置された埋込型の配線器具用の埋込ボックスＳＢを用いて壁に取り付けられる。埋込ボックスＳＢは、前面に取付窓が開口した箱状に形成されており、上下方向に対向する一対の内側面には、それぞれ基本モジュールＭ１および拡張モジュールＭ２を埋込ボックスＳＢに固定する取付ねじ（図示せず）用のねじ孔２１を有した器具固定突起２２が複数個ずつ突設されている。ここで、器具固定突起２２は埋込ボックスＳＢの取付窓からねじ孔２１が露出するように、埋込ボックスＳＢの取付窓内に設けられる。壁面を構成する壁材Ｗにおいて埋込ボックスＳＢに対応する部分には矩形状の施工孔２３が開設される。施工孔２３は、埋込ボックスＳＢの取付窓より小さく、且つ器具固定突起２２に設けたねじ孔２１を全て露出させる大きさに形成される。
【００４０】
基本モジュールＭ１および拡張モジュールＭ２は、この施工孔２３を通して前方から埋込ボックスＳＢに取り付けられるのであって、器体３、３’が後部を埋込ボックスＳＢ内に収納可能な形状および寸法に形成されている。また、本実施形態では、基本モジュールＭ１の器体３は１連用の取付枠（図示せず）を２個まで取付可能な埋込ボックスＳＢに対応する大きさに形成されている。ここでいう１連用の取付枠とは、埋込型の配線器具用に規格化されている単位寸法の配線器具を幅方向（上下方向）に３個並べて取付可能な取付枠を意味しており、以下では、１連用の取付枠が左右方向に２個連接された寸法を「２連用」、３個連接された寸法を「３連用」と呼ぶ。すなわち、本実施形態の基本モジュールＭ１は、上下方向に対向する一対の内側面にそれぞれ器具固定突起２２が２個ずつ設けられた２連用の埋込ボックスＳＢに取付可能な寸法に設定される。一方、拡張モジュールＭ２の器体３’は１連用の取付枠（図示せず）を１個取付可能な埋込ボックスＳＢに対応する大きさに形成されている。すなわち、拡張モジュールＭ２は、上下方向に対向する一対の内側面にそれぞれ器具固定突起２２が１個ずつ設けられた１連用の埋込ボックスＳＢに取付可能な寸法に設定される。したがって、図３（ａ）に示す３連用の埋込ボックスＳＢに対しては、基本モジュールＭ１と拡張モジュールＭ２とを左右方向に並べて取付可能である。
【００４１】
より具体的に説明すると、基本モジュールＭ１のカバー２は、上下方向の各端面のそれぞれから互いに離れる向きに延設された一対の取付片２４を連続一体に有する。一対の取付片２４は、カバー２の左右方向の略全長にわたって形成される。各取付片２４には、埋込型の配線器具を埋込ボックスＳＢに固定する際に用いられる取付枠と同様に、取付ねじを挿通するボックス用孔２５がそれぞれ複数個（ここでは２個）ずつ形成され、かつ上下方向においてボックス用孔２５より外側（つまり上側の取付片２４においては上方、下側の取付片２４においては下方）の部位には、後述する化粧プレート３０を固定する固定ねじ（図示せず）用のプレート用孔２６が複数個（ここでは２個）ずつ形成されている。なお、各取付片２４はカバー２の他の部位に比較して前方に突出している。さらに、各取付片２４のうち各ボックス用孔２５の周囲は取付片２４における他の部位よりも厚肉に形成されており、取付ねじを締め付けた際の器体３の変形を抑制するようにボックス用孔２５の周囲を補強している。拡張モジュールＭ２においても同様に、カバー２’は一対の取付片２４’を有し、各取り付け板２４’には、ボックス用孔２５’、プレート用孔２６’がそれぞれ（ここでは１個ずつ）形成されている。
【００４２】
ところで、基本モジュールＭ１と露出パネルＰとのそれぞれには、互いに係合することで基本モジュールＭ１に露出パネルＰを装着する取付手段が設けられている。基本モジュールＭ１においては、図４（ｂ）のように下側の取付片２４の前面から突出した鉤片２７と、上側の取付片２４に設けた取付孔（図示せず）とが取付手段として設けられている。鉤片２７は、取付片２４の前面から前方に突出し、先端部が上方に延長されることによりＬ字状に形成されており、左右方向に複数個並設されている。露出パネルＰにおいては、背面側の下端部であって各鉤片２７に対応する位置にそれぞれ形成され鉤片２７の先端部が挿入されることで鉤片２７に引っ掛かる引掛穴２９と、背面側の上端部であって各取付孔に対応する位置にそれぞれ突設された取付突起２０とが取付手段として設けられている。取付突起２０の先端部には上方に突出する係合爪２８が設けられており、係合爪２８は取付突起２０の基端部側ほど取付突起２０からの突出量が大きくなるように上面が傾斜している。
【００４３】
この構成により、基本モジュールＭ１の鉤片２７の先端部を露出パネルＰの引掛穴２９に挿入した状態で、鉤片２７を支点部として基本モジュールＭ１の前面の下辺周りで露出パネルＰを回転させるように露出パネルＰの上端部を基本モジュールＭ１側に押し付けて、露出パネルＰの取付突起２０を基本モジュールＭ１の取付孔に挿入し、係合爪２８を係止手段としての取付孔に係合させれば、露出パネルＰが基本モジュールＭ１に装着されることとなる。なお、拡張モジュールＭ２にも基本モジュールＭ１と同様の鉤片および取付孔を設けることにより、基本モジュールＭ１だけでなく拡張モジュールＭ２に対しても露出パネルＰを装着可能としてもよい。
【００４４】
また、映像表示端末Ａを埋込ボックスＳＢに取り付けただけの状態では、施工孔２３内において映像表示端末Ａと壁材Ｗとの間に隙間が生じることになる。そこで、埋込型の配線器具用の化粧プレート３０が映像表示端末Ａに取り付けられる。化粧プレート３０は、図３（ａ）に示すように、露出パネルＰの周囲を包囲する枠状のプレート枠３０ａ、およびプレート枠３０ａの前面側に取着される化粧カバー３０ｂとで構成される。プレート枠３０ａは取付片２４のプレート用孔２６に螺合する固定ねじにより固定され、化粧カバー３０ｂは背面に突設された係止爪（図示せず）をプレート枠３０ａに設けられた係止穴（図示せず）に係止させることによりプレート枠３０ａに取り付けられる。これにより、施工孔２３は映像表示端末Ａおよび化粧プレート３０によって塞がれることになる。ここでは３連用の化粧プレート３０を用いている。なお、本実施形態では、壁面からの露出パネルＰの前面の突出高さを壁面からの化粧プレート３０の突出高さに揃えるように、壁面からの映像表示端末Ａの突出量を設定している。
【００４５】
また、露出パネルＰは前面が３連用の埋込ボックスＳＢに取付可能な配線器具と同等の大きさに形成され、左右方向の寸法が基本モジュールＭ１と拡張モジュールＭ２とを左右方向に並設した寸法に略一致する。したがって、３連用の埋込ボックスＳＢに対して、基本モジュールＭ１と拡張モジュールＭ２との両方を左右方向に並べて取り付けた状態では、露出パネルＰは基本モジュールＭ１と拡張モジュールＭ２との両方の前面を覆う形で装着されることになる。言い換えれば、露出パネルＰの背面側には、拡張モジュールＭ２を露出パネルＰの背面に沿って基本モジュールＭ１と並べて配置するための拡張スペースが設けられることになる。露出パネルＰは、パネルケース１０の上下方向の各端部が、基本モジュールＭ１に露出パネルＰを装着した状態で基本モジュールＭ１の取付片２４に突き合わされる。したがって、基本モジュールＭ１に露出パネルＰを装着した状態では、露出パネルＰが取付ねじの前面側を覆うことになる。ただし、プレート用孔２６については基本モジュールＭ１に露出パネルＰを装着した状態でも露出するように、露出パネルＰは基本モジュールＭ１の前面に比較して上下方向の寸法が小さく設定されている。露出パネルＰの左右両側面にはそれぞれ上下方向に長い係止リブ３２が突設されており、露出パネルＰは、基本モジュールＭ１にプレート枠３０ａを取り付けた状態で係止リブ３２をプレート枠３０ａの左右両側片の各内側面に設けた係止片３３に係合させるようにプレート枠３０ａ内に嵌め込まれる。
【００４６】
ところで、映像表示端末Ａの基本機能を実現するための内部回路は、基本モジュールＭ１と露出パネルＰとに分割して設けられている。
【００４７】
すなわち、基本モジュールＭ１は、図２に示すように電源端子部５に接続され内部回路に直流電源を供給する電源部（ＡＣ／ＤＣ電源部）３４と、信号端子部７に接続され音声信号や映像信号の入出力を行う信号処理部３５とを有している。本実施形態では、信号線６に音声信号と映像信号とが多重化されて伝送されており、そのため信号処理部３５には多重化された音声信号と映像信号とを分離する多重分離部が設けられている。さらに信号処理部３５は、信号線６の回線電圧に基づいて相手側端末５０からの呼出を検出する呼出検出機能を備えている。電源部３４は電源スイッチＳＷ（図１（ａ）参照）を具備しており、電源端子部５に電源線４が接続されている状態では、電源スイッチＳＷのオン時に内部回路に給電し、電源スイッチＳＷのオフ時に内部回路への給電を停止する。電源スイッチＳＷは基本モジュールＭ１の前面側に露出している。
【００４８】
一方、露出パネルＰは、図２に示すように少なくとも映像表示部１２に接続され少なくとも映像信号を復調し映像表示部１２に映像を表示させる全体制御部３６を備えている。さらに露出パネルＰは、電源部３４から供給される直流電源を受電する受電回路部３７も備えている。受電回路部３７は、全体制御部３６に接続されており、電源部３４から受けた直流電源を所望の電圧に変換して全体制御部３６に出力する。また、全体制御部３６は音声入出力部１８および操作部１４にも接続されており、音声入出力部１８での音声の入出力を可能にするとともに、操作部１４からの操作入力を受け付けて内部回路の各部の動作を制御する。音声入出力部１８は、全体制御部３６とスピーカ１８ａとの間にスピーカ１８ａへの音声信号を増幅するスピーカアンプ１８ｃを有し、全体制御部３６とマイクロフォン１８ｂとの間にマイクロフォン１８ｂからの音声信号を増幅するマイクアンプ１８ｄを有している。
【００４９】
露出パネルＰは基本モジュールＭ１を接続するための基本用パネルコネクタＣｐ１を有しており、基本モジュールＭ１は基本用パネルコネクタＣｐ１に接続されるパネル用基本コネクタＣｍ１Ａを有しており、基本用パネルコネクタＣｐ１とパネル用基本コネクタＣｍ１Ａとを互いに接続することにより、基本モジュールＭ１と露出パネルＰとが互いに電気的に接続され、露出パネルＰには電源部３４から直流電源が供給される。ここに、パネル用基本コネクタＣｍ１Ａには基本モジュールＭ１内で信号処理部３５および電源部３４が接続されており、基本用パネルコネクタＣｐ１には露出パネルＰ内で全体制御部３６および受電回路部３７が接続されている。
【００５０】
パネル用基本コネクタＣｍ１Ａは、基本モジュールＭ１の器体３内の回路基板に実装されており、カバー２に設けた接触端子孔３８を通して基本モジュールＭ１の前面側に露出する。パネル用基本コネクタＣｍ１Ａおよび基本用パネルコネクタＣｐ１は基本モジュールＭ１に露出パネルＰを装着した状態で互いに突き合わされる位置に配設されており、基本モジュールＭ１に露出パネルＰを装着するだけでパネル用基本コネクタＣｍ１Ａおよび基本用パネルコネクタＣｐ１が互いに接触することにより基本モジュールＭ１と露出パネルＰとの電気的接続が完了する。したがって、基本モジュールＭ１に露出パネルＰを装着する作業と基本モジュールＭ１に露出パネルＰを電気的に接続する作業とを別々に行う場合に比べて、作業性が向上する。
【００５１】
ところで、拡張モジュールＭ２は、それぞれ拡張機能の異なる複数種類の拡張モジュールＭ２の中から択一的に選択可能であって、基本モジュールＭ１および露出パネルＰからなる基本装置はこれら複数種類の拡張モジュールＭ２に共用される。すなわち、共通の基本モジュールＭ１および露出パネルＰに対して複数種類の拡張モジュールＭ２を択一的に選択して装着することにより、映像表示端末Ａの基本機能にそれぞれ異なる拡張機能を付加することができる。そのため、複数種類の拡張モジュールＭ２においては、基本モジュールＭ１や露出パネルＰとの機械的結合手段および電気的接続手段の両方を共通の仕様としてある。拡張モジュールＭ２が備える拡張機能の例としては、別室に設けられたワイヤレス増設親機との通信を無線で行うワイヤレス機能や、インターネットに接続するためのインターネット接続機能や、電気錠に接続して電気錠の監視・制御を行う施解錠機能などがある。
【００５２】
本実施形態では、施解錠機能を拡張機能として備えた拡張モジュールＭ２を例示する。この拡張モジュールＭ２は、図２に示すように外部機器としての電気錠３９を上述の拡張端子部１９に制御線４０を介して接続することにより、露出パネルＰに設けた操作部１４の操作に応じて電気錠３９の施解錠を制御するものである。拡張モジュールＭ２は、拡張端子部１９に接続され電気錠３９の制御に用いる制御信号の入出力を行う信号処理部４１を有している。さらに拡張モジュールＭ２は、電源部３４から供給される直流電源を受電し所望の電圧に変換して信号処理部４１に出力する受電回路部４２を備えている。ここにおいて、露出パネルＰには拡張モジュールＭ２を接続する接続手段としての拡張用パネルコネクタＣｐ２が設けられ、拡張モジュールＭ２には拡張用パネルコネクタＣｐ２に接続されるパネル用拡張コネクタＣｍ２Ａが設けられることにより、露出パネルＰと拡張モジュールＭ２とが電気的に接続可能となっている。ここで、拡張用パネルコネクタＣｐ２には露出パネルＰ内で全体制御部３６が接続されており、パネル用拡張コネクタＣｍ２Ａには拡張モジュールＭ２内で信号処理部４１が接続されている。
【００５３】
また、拡張モジュールＭ２の電源は、基本モジュールＭ１の電源部３４から得ており、そのため、基本モジュールＭ１には拡張モジュールＭ２を接続する接続手段としての拡張用基本コネクタＣｍ１Ｂが設けられ、拡張モジュールＭ２には拡張用基本コネクタＣｍ１Ｂに接続される基本用拡張コネクタＣｍ２Ｂが設けられている。ここで、拡張用基本コネクタＣｍ１Ｂには基本モジュールＭ１内で電源部３４が接続されており、基本用拡張コネクタＣｍ２Ｂには拡張モジュールＭ２内で受電回路部４２が接続されている。つまり、拡張用基本コネクタＣｍ１Ｂと基本用拡張コネクタＣｍ２Ｂとを接続することにより、基本モジュールＭ１と拡張モジュールＭ２とを電気的に接続することができ、拡張モジュールＭ２への電源供給が可能になる。
【００５４】
以上説明した映像表示端末Ａの構成によれば、映像表示端末Ａに基本機能だけでなく拡張機能（たとえば施解錠機能）が必要な場合、拡張モジュールＭ２を拡張スペースに配置するとともに露出パネルＰおよび基本モジュールＭ１に接続することによって、基本機能に拡張機能を付加することができる。したがって、拡張アダプタを用いた従来構成のように、拡張機能を付加するために設置スペースを広げる必要はない。そのため、拡張機能を付加したために映像表示端末Ａ周りが煩雑になり部屋の美観を損ねるということもない。一方、映像表示端末Ａに拡張機能は不要であって基本機能のみでよい場合には、拡張モジュールＭ２を用いることなく、基本モジュールＭ１および露出パネルＰのみで映像表示端末Ａを構成するようにすればよい。したがって、拡張機能を必要としない使用者にとって映像表示端末Ａが不必要に大型、高価になることもない。また、基本モジュールＭ１および露出パネルＰからなる基本装置は複数種類の拡張モジュールＭ２に共用されるので、既設の映像表示端末Ａの拡張機能を変更するだけであれば、既設の基本モジュールＭ１および露出パネルＰを継続して使用することができ、映像表示端末Ａ全体を交換する場合に比べて拡張機能の変更に要するコストを抑えることができるという利点もある。
【００５５】
次に、上述した映像表示端末Ａを壁に取り付ける手順について図３を参照して説明する。まず基本モジュールＭ１に電源線４および信号線６を挿入接続したうえで、埋込ボックスＳＢに対して基本モジュールＭ１を取付ねじで固定するとともに、拡張モジュールＭ２に制御線４０を挿入接続したうえで、埋込ボックスＳＢに対して拡張モジュールＭ２を取付ねじで固定する。それから、プレート枠３０ａを固定ねじで基本モジュールＭ１および拡張モジュールＭ２に取り付け、その後、露出パネルＰを基本モジュールＭ１に装着する。そして、化粧カバー３０ｂをプレート枠３０ａに装着すれば、取付作業は完了する。なお、この取付作業は、基本モジュールＭ１および拡張モジュールＭ２がスイッチ本体に相当し露出パネルＰがスイッチハンドルに相当すると考えれば、埋込型の壁スイッチの取付作業に類似するから、この映像表示端末Ａは壁スイッチと同様、比較的簡単に取り付けられる。
【００５６】
上述した構成の映像表示端末Ａを相手側端末５０と共に用いることにより構築されるインターホンシステムの動作について、以下に簡単に説明する。
【００５７】
映像表示端末Ａは、来訪者により相手側端末５０からの呼び出しがあった場合に、相手側端末５０からの呼出音をスピーカ１８ａで出力するとともに相手側端末５０のカメラ部５１で撮像された映像を映像表示部１２に表示する。そして、通話用の操作ハンドル１５が押操作されると相手側端末５０と通話可能な状態になる。このとき、映像表示部１２には相手側端末５０のカメラ部５１で撮像された映像が表示されているので、訪問者を映像で確認しながらの通話が可能となる。通話用の操作ハンドル１５が再度押操作されると相手側端末５０との通話状態を終了し、映像表示部１２での映像の表示も終了する。
【００５８】
拡張機能である施解錠機能についても以下に簡単に説明する。
【００５９】
露出パネルＰの操作部１４で所望の操作が為されると、全体制御部３６は電気錠３９を解錠するための解錠コマンドを生成し、拡張モジュールＭ２の信号処理部４１に対して拡張用パネルコネクタＣｐ１およびパネル用拡張コネクタＣｍ２Ａを介して前記解錠コマンドを出力する。拡張モジュールＭ２の信号処理部４１は、入力された解錠コマンドを電気錠３９に適合した信号形式の制御信号に変換し、この制御信号を電気錠３９に対して拡張端子部１９を介して送信する。解錠コマンドを受信した電気錠３９は解錠状態となるように動作する。
【００６０】
また、上述した説明では、信号処理部４１と受電回路部４２とを備え、さらに外部と電気的に接続する手段（パネル側拡張コネクタＣｍ２Ａ、基本側拡張コネクタＣｍ２Ｂ、拡張端子部１９）を備えた拡張モジュールＭ２を拡張スペースに配置する例を示したが、このような拡張モジュールＭ２に代えて、外部と電気的に接続する手段を持たず、拡張モジュールＭ２と同一寸法であって合成樹脂製あるいは金属製の器体３’のみを持つダミーモジュール（図示せず）を、拡張スペースに取り付けるようにしてもよい。つまり、拡張スペースには、ダミーモジュールと拡張モジュールＭ２とのいずれか一方が取り付けられるのであって、拡張機能を使用しない場合でもダミーモジュールによって拡張スペースが確実に確保されることになる。
【００６１】
したがって、映像表示端末Ａの設置当初には拡張機能が不要であったにもかかわらず、後に拡張機能を付加する必要が生じた場合に、ダミーモジュールによって確保されている拡張スペースを利用して拡張モジュールＭ２を取り付けることができる。要するに、施工ミスにより拡張スペースが確保されておらず、拡張モジュールＭ２を取り付けることができないという事態を回避することができる。また、将来的に拡張機能を使用する可能性すらなければ拡張スペースを省略することも考えられるが、この場合、壁材Ｗに形成される施工孔２３は、基本モジュールＭ１を取り付けるためだけに設けられるから、露出パネルＰの前面に比べて左右方向の寸法が拡張モジュールＭ２の分だけ小さくなる。そのため、施工孔２３の中心が露出パネルＰの中心に一致するものと勘違いして施工孔２３を形成してしまうと、実際に露出パネルＰを取り付けた際に露出パネルＰが所望の取付位置から左右方向にずれて取り付けられてしまうといった施工ミスを生じ得る。これに対して、拡張スペースにダミーモジュールを配置するようにすれば、施工孔２３の左右方向の寸法は露出パネルＰの前面と略一致するので、露出パネルＰの実際の取付位置は施工孔２３を形成する際に容易に理解できる。したがって、上述した施工ミスを回避できる。
【００６２】
なお、本実施形態では、映像表示端末Ａを壁に取り付けるために埋込ボックスＳＢを用いる例を示したが、この構成に限るものではなく、埋込ボックスＳＢ以外の専用部材（たとえば埋込型の配線器具用の取付時に用いられる挟み金具）を用いて映像表示端末Ａを壁に取り付けるようにしてもよい。
【００６３】
（実施形態２）
本実施形態の映像表示端末Ａは、図５に示すように、基本モジュールＭ１と、露出パネルＰと、拡張モジュールＭ２との間の電気的な接続関係が実施形態１の映像表示端末Ａと相違する。
【００６４】
本実施形態では、基本モジュールＭ１と拡張モジュールＭ２とを直接接続するための拡張用基本コネクタＣｍ１Ｂと基本用拡張コネクタＣｍ２Ｂとが省略され、拡張モジュールＭ２の受電回路部４２がパネル用拡張コネクタＣｍ２Ａに接続されている。さらに、露出パネルＰには、基本用パネルコネクタＣｐ１から受電回路部３７への給電経路を分岐して拡張用パネルコネクタＣｐ２に給電する分岐配線４３が設けられている。
【００６５】
この構成によれば、基本モジュールＭ１の電源部３４から出力される直流電源は、パネル用基本コネクタＣｍ１Ａおよび基本用パネルコネクタＣｐ１を介して露出パネルＰに供給される。露出パネルＰに供給された直流電源は分岐配線４３と拡張用パネルコネクタＣｐ２とパネル用拡張コネクタＣｍ２Ａとを介して拡張モジュールＭ２にも供給される。その他の構成および機能は実施形態１と同様である。
【００６６】
（実施形態３）
本実施形態の映像表示端末Ａは、図６に示すように、基本モジュールＭ１と、露出パネルＰと、拡張モジュールＭ２との間の電気的な接続関係が実施形態１の映像表示端末Ａと相違する。
【００６７】
本実施形態では、露出パネルＰと拡張モジュールＭ２とを直接接続するための拡張用パネルコネクタＣｐ２とパネル用拡張コネクタＣｍ２Ａとが省略され、拡張モジュールＭ２の信号処理部４１が基本用拡張コネクタＣｍ２Ｂに接続されている。さらに、基本モジュールＭ１には、拡張用基本コネクタＣｍ１Ｂとパネル用基本コネクタＣｍ１Ａとの間をバイパスして拡張モジュールＭ２の信号処理部４１を露出パネルＰの全体制御部３６に接続するバイパス配線４４が設けられている。
【００６８】
この構成によれば、露出パネルＰにおいて操作部１４で所望の操作が為されると、全体制御部３６は電気錠３９を解錠するための解錠コマンドを生成し、基本用パネルコネクタＣｐ１およびパネル用基本コネクタＣｍ１Aを介して基本モジュールＭ１に出力する。基本モジュールＭ１で受けた解錠コマンドは、バイパス配線４４と拡張用基本コネクタＣｍ１Ｂと基本用拡張コネクタＣｍ２Ｂとを介して拡張モジュールＭ２の信号処理部４１に伝達されることになる。その他の構成および機能は実施形態１と同様である。
【００６９】
（実施形態４）
本実施形態の映像表示端末Ａは、図７〜９に示すように複数台の外部機器ＯＰ１〜ＯＰｎが接続され、露出パネルＰに設けた操作部１４の操作に応じてこれら複数台の外部機器ＯＰ１〜ＯＰｎをそれぞれ制御する拡張モジュールＭ２を、電気錠３９の施解錠を制御する拡張モジュールＭ２に代えて採用している点が実施形態３の映像表示端末Ａと相違する。
【００７０】
図７に示す拡張モジュールＭ２は、制御線４０を介して外部機器ＯＰ１〜ＯＰｎが接続される拡張端子部１９、および拡張端子部１９に接続され外部機器ＯＰ１〜ＯＰｎの制御に用いる制御信号の入出力を行う信号処理部４１を、外部機器ＯＰ１〜ＯＰｎごとにそれぞれ有している。ここで、各信号処理部４１は基本用拡張コネクタＣｍ２Ｂに対してパラレルに接続されている。各信号処理部４１への電源供給は単一の受電回路部４２によって行われる。この拡張モジュールＭ２は、各信号処理部４１にそれぞれ対応するように基本モジュールＭ１との通信用の伝送路を複数有しており、これら複数の伝送路は、基本用拡張コネクタＣｍ２Ｂと拡張用基本コネクタＣｍ１Ｂとを接続することで実現される。
【００７１】
ところで、上述したように拡張モジュールＭ２が複数の信号処理部４１を有する場合に、露出パネルＰにおいて各信号処理部４１と個別に通信可能とするため、露出パネルＰと基本モジュールＭ１との間の伝送路に関しても複数設けることが考えられるが、露出パネルＰと基本モジュールＭ１との間の伝送路の数が多くなると、パネル用基本コネクタＣｍ１Ａおよび基本用パネルコネクタＣｐ１のコンタクト数が多くなり、基本用パネルコネクタＣｐ１とパネル用基本コネクタＣｍ１Ａとの間の接触信頼性が低下するという問題がある。
【００７２】
そこで、図７に示す構成例では、基本モジュールＭ１が、拡張モジュールＭ２との間の複数の伝送路を集線し露出パネルＰとの間の伝送路に接続する集線処理部４７を備える構成を採用している。集線処理部４７は、たとえばマイコンなどで実現されるものであって、拡張用基本コネクタＣｍ１Ｂに対しては各信号処理部４１にそれぞれ対応する伝送路ごとにそれぞれバイパス配線４４ｂによって個別に接続され、パネル用基本コネクタＣｍ１Ａに対してはバイパス配線４４ａにより接続され、複数のバイパス配線４４ｂを択一的にバイパス配線４４ａに接続する。なお、信号処理部４７をスイッチングハブで構成するようにしてもよい。
【００７３】
上述した構成によれば、集線処理部４７を設けない場合に比べて、パネル用基本コネクタＣｍ１Ａおよび基本用パネルコネクタＣｐ１のコンタクト数を低減することができ、パネル用基本コネクタＣｍ１Ａと基本用パネルコネクタＣｐ１との間の接触信頼性の向上を図ることができるという利点がある。
【００７４】
さらに、本実施形態では、図８に示すように集線処理部４７が拡張モジュールＭ２との間の複数の伝送路に加えて相手側端末５０との通信用の伝送路も集線するようにしてある。図８の例では、集線処理部４７は基本モジュールＭ１内で信号処理部３５に接続されており、バイパス配線４４ａに対して、信号処理部３５および複数のバイパス配線４４ｂを択一的に接続する。この構成によれば、基本モジュールＭ１と露出パネルＰとの間において、拡張モジュールＭ２と露出パネルＰとの通信用の伝送路が、相手側端末５０と露出パネルＰとの通信用の伝送路に兼用されることになるので、図７のように相手側端末５０と露出パネルＰとの通信用に専用の伝送路を設ける構成に比べて、基本モジュールＭ１と露出パネルＰとの間の伝送路の数を少なく抑えることができ、パネル用基本コネクタＣｍ１Ａと基本用パネルコネクタＣｐ１との間の接触信頼性の更なる向上を図ることができる。
【００７５】
また、本実施形態の他の例として、図９に示すように拡張モジュールＭ２内における基本用拡張コネクタＣｍ２Ｂと各信号処理部４１との間に、基本用拡張コネクタＣｍ２Ｂに接続する信号処理部４１を択一的に選択する集線処理部４７’を設けるようにしてもよい。このように集線処理部４７’を具備した拡張モジュールＭ２を用いれば、基本モジュールＭ１の集線処理部４７を省略しても、パネル用基本コネクタＣｍ１Ａおよび基本用パネルコネクタＣｐ１のコンタクト数を低減することができる。すなわち、図９の構成によれば、集線処理部４７’を設けたことでパネル用基本コネクタＣｍ１Ａと基本用パネルコネクタＣｐ１との間の接触信頼性を向上させながらも、集線処理部４７を基本モジュールＭ１に設けた図７の例のように、拡張機能を必要としない使用者にとって集線処理部４７の分だけ映像表示端末Ａが不必要に大型、高価になることもない。さらに、図９の構成では、拡張用基本コネクタＣｍ１Ｂおよび基本用拡張コネクタＣｍ２Ｂのコンタクト数を低減することで、拡張用基本コネクタＣｍ１Ｂと基本用拡張コネクタＣｍ２Ｂとの間の接触信頼性の向上も図ることができる。その他の構成および機能は実施形態３と同様である。
【００７６】
（実施形態５）
本実施形態の映像表示端末Ａは、基本モジュールＭ１と拡張モジュールＭ２とを機械的に直接結合する結合手段を有する点が実施形態１の映像表示端末Ａと相違する。
【００７７】
結合手段は、たとえば図１０に示すように基本モジュールＭ１に設けられた一対の係合突起４５と、拡張モジュールＭ２に設けられ前記一対の係合突起４５が係止する係合孔４６とを有する。係合突起４５は、基本モジュールＭ１の器体３のうち拡張モジュールＭ２との対向面に突設されており、係合孔４６は、拡張モジュールＭ２の器体３’のうち係合突起４５に対応する各位置に貫設されている。一対の係合突起４５は、器体３の表面に直交する向きに突出した突起部４５ａと、突起部４５ａの先端部から互いに離れる向き突出した爪部４５ｂとを有しており、爪部４５ｂは、突起部４５ａの基端部側ほど突起部４５ａからの突出量が大きくなるように三角形状に形成されている。これにより、基本モジュールＭ１の係合突起４５を拡張モジュールＭ２の係合孔４６に挿入すれば、一対の突起部４５ａが先端部同士を互いに近づけるように撓みながら係合孔４６に挿入され、爪部４５ｂが係合孔４６の開口周縁に係合することにより基本モジュールＭ１と拡張モジュールＭ２とは機械的に結合されることになる。なお、拡張モジュールＭ２の器体３’の一部から基本モジュールＭ１側に突出する嵌合台（図示せず）を設け、この嵌合台に係合孔４６を形成してもよい。
【００７８】
本実施形態の構成によれば、基本モジュールＭ１と拡張モジュールＭ２とを互いに機械的に結合することができるので、基本モジュールＭ１と拡張モジュールＭ２とがそれぞれ個別に埋込ボックスＳＢに取り付けられるだけの構成に比べて、基本モジュールＭ１と拡張モジュールＭ２との相対的な位置を精度よく定めることができる。その結果、基本モジュールＭ１と拡張モジュールＭ２との相対的な位置ずれが生じにくく、基本モジュールＭ１に露出パネルＰを装着したときに、拡張用パネルコネクタＣｐ２とパネル用拡張コネクタＣｍ２Ａとの相対的な位置ずれが生じにくく、結果的に拡張用パネルコネクタＣｐ２とパネル用拡張コネクタＣｍ２Ａとの電気的な接続状態が安定するという利点がある。
【００７９】
なお、拡張モジュールＭ２に係合孔４６を設ける場合、拡張モジュールＭ２の器体３’内において係合孔４６の周辺に係合突起４５との干渉を避けるためのスペースを確保する必要があるので、拡張モジュールＭ２の器体３’内の容量が小さくなる。そこで、拡張モジュールＭ２の器体３’内の容量を増やすために、拡張モジュールＭ２に係合突起４５、基本モジュールＭ１に係合孔４６を設けるようにしてもよい。その他の構成および機能は実施形態１と同様である。
【００８０】
ところで、上述した各実施形態では、相手側端末５０としてのドアホン子器に対して信号線６を用いて接続されることによりインターホンシステムを構築し、相手側端末５０との間で通話可能となるインターホン親機を映像表示端末Ａの一例として説明したが、本発明は、インターホン親機に限らず、壁に取り付けられ相手側端末から信号線を介して送られる映像信号を受けて映像を表示可能な様々な映像表示端末Ａに適用することができる。
【図面の簡単な説明】
【００８１】
【図１】本発明の実施形態１の構成を示し、（ａ）は露出パネルを外した状態の斜視図、（ｂ）は露出パネルを装着した状態の斜視図である。
【図２】同上の概略システム構成図である。
【図３】同上の構成を示し、（ａ）は分解斜視図、（ｂ）は壁に取り付けた状態の斜視図である。
【図４】同上の構成を示し、（ａ）は正面図、（ｂ）は（ａ）のＸ−Ｘ断面図、（ｃ）は（ｂ）の要部Ｚの拡大図である。
【図５】本発明の実施形態２の構成を示す概略システム構成図である。
【図６】本発明の実施形態３の構成を示す概略システム構成図である。
【図７】本発明の実施形態４の比較例を示す概略システム構成図である。
【図８】同上の構成を示す概略システム構成図である。
【図９】同上の他の構成を示す概略システム構成図である。
【図１０】本発明の実施形態５の要部を示す概略斜視図である。
【図１１】従来例を示す概略システム構成図である。
【符号の説明】
【００８２】
４  電源線
５  電源端子部
６  信号線
７  信号端子部
１２  映像表示部
１４  操作部
１９  拡張端子部
２４  取付片
２７  鉤片（支点部）
３４  電源部
３９  電気錠（外部機器）
４１  信号処理部
４５  係合突起
４６  係合孔
４７，４７’  集線処理部
５０  相手側端末
Ａ  映像表示端末
Ｃｍ１Ａ  パネル用基本コネクタ
Ｃｍ１Ｂ  拡張用基本コネクタ
Ｃｍ２Ａ  パネル用拡張コネクタ
Ｃｍ２Ｂ  基本用拡張コネクタ
Ｃｐ１  基本用パネルコネクタ
Ｃｐ２  拡張用パネルコネクタ
Ｍ１  基本モジュール
Ｍ２  拡張モジュール
Ｐ  露出パネル
ＳＢ  埋込ボックス
【図１】
2008294987.tif 000003
【図２】
2008294987.tif 000004
【図３】
2008294987.tif 000005
【図４】
2008294987.tif 000006
【図５】
2008294987.tif 000007
【図６】
2008294987.tif 000008
【図７】
2008294987.tif 000009
【図８】
2008294987.tif 000010
【図９】
2008294987.tif 000011
【図１０】
2008294987.tif 000012
【図１１】
2008294987.tif 000013